(57)【要約】【課題】体外循環する血液の体外循環量をできる限り抑制することができるとともに、体外循環する血液中に気泡が混入した際、その気泡を確実に捕捉することができる閉鎖系体外循環回路を提供すること。【解決手段】閉鎖系体外循環回路１００は、脱血ライン１と、ローラポンプ４と、脱血ライン１中の圧力を検出する圧力センサ５と、脱血ライン１を流下した血液に対しガス交換を行なう人工肺３であって、ガス交換がなされた血液中の気泡を捕捉する第１のフィルタおよび第２のフィルタとを有し、第１のフィルタと第２のフィルタとの間に流路を有する人工肺３と、前記流路と脱血ライン１のローラポンプ４よりも上流側の部分とを連結し、前記流路を第２のフィルタに向かって流下する血液の一部が脱血ライン１に戻される再循環ライン９とを備える。【選択図】図１
2013192711.tif 000002
【特許請求の範囲】
【請求項１】
脱血された血液が流下する脱血ラインと、
前記脱血ラインの途中に設けられ、血液を移送するローラポンプと、
前記脱血ラインの前記ローラポンプよりも上流側の部分に設けられ、前記脱血ライン中の圧力を検出する圧力センサと、
前記脱血ラインの下流側に接続され、該脱血ラインを流下した血液に対しガス交換を行なうガス交換部と、該ガス交換部よりも下流側に配置され、前記ガス交換がなされた血液中の気泡を捕捉する第１のフィルタおよび第２のフィルタとを有し、前記第１のフィルタと前記第２のフィルタとは血流の方向に沿って離間しており、前記第１のフィルタと前記第２のフィルタとの間が血液が通過する流路として機能する人工肺系と、
前記流路と前記脱血ラインの前記ローラポンプよりも上流側の部分とを連結し、前記流路を通過する血液の一部が前記脱血ラインに戻される再循環ラインとを備えることを特徴とする閉鎖系体外循環回路。
【請求項２】
前記再循環ラインからの血液は、前記第１のフィルタで捕捉しきれなかった気泡が混在したものであり、少なくとも１回再度前記脱血ラインと前記第１のフィルタとを順に通過する間に、該第１のフィルタで、当該血液中に混在した気泡の一部または全部が捕捉されるよう構成されている請求項１に記載の閉鎖系体外循環回路。
【請求項３】
前記圧力センサの検出結果に基づいて、前記ローラポンプの作動を制御する機能を有する制御部を備える請求項１または２に記載の閉鎖系体外循環回路。
【請求項４】
前記制御部は、前記圧力センサの検出結果が、予め設定された下限値を下回った場合、前記ローラポンプの作動を停止するかまたは前記ローラポンプの回転数を減少させるよう制御する請求項３に記載の閉鎖系体外循環回路。
【請求項５】
前記ローラポンプの回転数は、連続的に減少する請求項４に記載の閉鎖系体外循環回路。
【請求項６】
前記制御部は、前記ローラポンプの作動を停止して、または、前記ローラポンプの回転数を減少させてから、前記圧力センサの検出結果が、予め設定された上限値を超えた場合、前記ローラポンプを再度作動させるかまたは前記ローラポンプの回転数を増加させる請求項４または５に記載の閉鎖系体外循環回路。
【請求項７】
前記第１のフィルタは、円筒状をなし、その中心軸が水平方向と平行となるよう配置され、
前記第２のフィルタは、前記第１のフィルタの外周側に、前記第１のフィルタに対し鉛直下方に配置され、
前記人工肺系は、前記第１のフィルタと前記第２のフィルタとを一括して収納するハウジングを有し、前記ハウジングには、その鉛直上方の部分に、前記再循環ラインに接続されるポートが突出形成されている請求項１ないし６のいずれかに記載の閉鎖系体外循環回路。
【請求項８】
前記圧力センサは、前記脱血ラインの前記再循環ラインが接続されている部分よりも上流側の部分に配されている請求項１ないし７のいずれかに記載の閉鎖系体外循環回路。
【請求項９】
前記人工肺系の下流側に接続され、該人工肺系からの血液が流下する送血ラインを備える請求項１ないし８のいずれかに記載の閉鎖系体外循環回路。
【発明の詳細な説明】
【技術分野】
【０００１】
本発明は、閉鎖系体外循環回路に関する。
【背景技術】
【０００２】
従来、心臓外科手術で用いられる体外循環装置としては、血液が循環する流路の上流側から順に、気泡除去装置（バブルトラップ）、遠心ポンプ、人工肺が配置され、これらが互いにチューブで連結された体外循環装置が知られている（例えば、特許文献１参照）。この特許文献１に記載の体外循環装置では、気泡除去装置は、患者から脱血された血液中の気泡を除去する装置である。また、遠心ポンプは、患者から血液を脱血し、当該脱血した血液を再度患者へ戻すよう血液を循環させる血液ポンプである。人工肺は、患者から脱血された血液に対し、ガス交換を行なう、すなわち、酸素加、脱炭酸ガスを行なう多数本の中空糸膜を積層した中空糸膜層を有する装置である。
【０００３】
このような構成の体外循環装置では、低侵襲治療の観点から、当該装置内を循環する血液の体外循環量（プライミングボリューム）を抑制するために、貯血槽が省略されている。ところが、体外血液循環量抑制のために単に貯血槽を省略すると、脱血された血液中に含まれる気泡を除去することができないため、特許文献１に記載の体外循環装置では、気泡除去装置を設けている。仮に、貯血槽も気泡除去装置も省略されていたとすると、血液中の気泡が遠心ポンプに流入してしまい、気泡が流入してしまうと遠心ポンプは、空回りして、血液を循環させるとう機能を果たすことができないとともに、気泡を細かく砕き、より除去しにくいものとしてしまう。
【０００４】
そこで、特許文献１に記載の体外循環装置では、遠心ポンプが前記機能を確実に果たすことができるよう、遠心ポンプの上流側に気泡除去装置を設置し、当該気泡除去装置で血液中の気泡を除去してから、血液が遠心ポンプに流入するよう構成されている。
【０００５】
しかしながら、さらに体外血液循環量を減らし、低侵襲治療を目指すには、この気泡除去装置さえ無くすことが望ましかった。
【先行技術文献】
【特許文献】
【０００６】
【特許文献１】特開２００７−２７５４７３号公報
【発明の概要】
【発明が解決しようとする課題】
【０００７】
本発明の目的は、体外循環する血液の体外循環量をできる限り抑制することができるとともに、体外循環する血液中に気泡が混入した際、その気泡を確実に捕捉することができる閉鎖系体外循環回路を提供することにある。
【課題を解決するための手段】
【０００８】
このような目的は、下記（１）〜（９）の本発明により達成される。
（１）  脱血された血液が流下する脱血ラインと、
前記脱血ラインの途中に設けられ、血液を移送するローラポンプと、
前記脱血ラインの前記ローラポンプよりも上流側の部分に設けられ、前記脱血ライン中の圧力を検出する圧力センサと、
前記脱血ラインの下流側に接続され、該脱血ラインを流下した血液に対しガス交換を行なうガス交換部と、該ガス交換部よりも下流側に配置され、前記ガス交換がなされた血液中の気泡を捕捉する第１のフィルタおよび第２のフィルタとを有し、前記第１のフィルタと前記第２のフィルタとは血流の方向に沿って離間しており、前記第１のフィルタと前記第２のフィルタとの間が血液が通過する流路として機能する人工肺系と、
前記流路と前記脱血ラインの前記ローラポンプよりも上流側の部分とを連結し、前記流路を通過する血液の一部が前記脱血ラインに戻される再循環ラインとを備えることを特徴とする閉鎖系体外循環回路。
【０００９】
（２）  前記再循環ラインからの血液は、前記第１のフィルタで捕捉しきれなかった気泡が混在したものであり、少なくとも１回再度前記脱血ラインと前記第１のフィルタとを順に通過する間に、該第１のフィルタで、当該血液中に混在した気泡の一部または全部が捕捉されるよう構成されている上記（１）に記載の閉鎖系体外循環回路。
【００１０】
（３）  前記圧力センサの検出結果に基づいて、前記ローラポンプの作動を制御する機能を有する制御部を備える上記（１）または（２）に記載の閉鎖系体外循環回路。
【００１１】
（４）  前記制御部は、前記圧力センサの検出結果が、予め設定された下限値を下回った場合、前記ローラポンプの作動を停止するかまたは前記ローラポンプの回転数を減少させるよう制御する上記（３）に記載の閉鎖系体外循環回路。
【００１２】
（５）  前記ローラポンプの回転数は、連続的に減少する上記（４）に記載の閉鎖系体外循環回路。
【００１３】
（６）  前記制御部は、前記ローラポンプの作動を停止して、または、前記ローラポンプの回転数を減少させてから、前記圧力センサの検出結果が、予め設定された上限値を超えた場合、前記ローラポンプを再度作動させるかまたは前記ローラポンプの回転数を増加させる上記（４）または（５）に記載の閉鎖系体外循環回路。
【００１４】
（７）  前記第１のフィルタは、円筒状をなし、その中心軸が水平方向と平行となるよう配置され、
前記第２のフィルタは、前記第１のフィルタの外周側に、前記第１のフィルタに対し鉛直下方に配置され、
前記人工肺系は、前記第１のフィルタと前記第２のフィルタとを一括して収納するハウジングを有し、前記ハウジングには、その鉛直上方の部分に、前記再循環ラインに接続されるポートが突出形成されている上記（１）ないし（６）のいずれかに記載の閉鎖系体外循環回路。
【００１５】
（８）  前記圧力センサは、前記脱血ラインの前記再循環ラインが接続されている部分よりも上流側の部分に配されている上記（１）ないし（７）のいずれかに記載の閉鎖系体外循環回路。
【００１６】
（９）  前記人工肺系の下流側に接続され、該人工肺系からの血液が流下する送血ラインを備える上記（１）ないし（８）のいずれかに記載の閉鎖系体外循環回路。
【発明の効果】
【００１７】
本発明によれば、体外循環する血液に気泡が混入した際には、この気泡が混入した血液を、人工肺系の第１のフィルタで捕捉することができる。なお、第１のフィルタで気泡を捕捉しきれなかった場合には、当該気泡を人工肺系の第２のフィルタで捕捉して、血液ごと、再循環ラインを介して脱血ラインに戻すことができる、すなわち、再循環させることができる。そして、再循環中に第１のフィルタで気泡を確実に捕捉することができる。
【００１８】
また、本発明によれば、気泡が確実に捕捉、除去されるため、従来の体外循環装置に設置されているような、気泡を除去するための気泡除去装置を省略することができる。この気泡除去装置を省略した分、体外循環する血液の体外循環量をできる限り抑制することができる。
【図面の簡単な説明】
【００１９】
【図１】本発明の閉鎖系体外循環回路の第１実施形態を示す概略図である。
【図２】図１に示す閉鎖系体外循環回路が備える人工肺の横断面図である。
【図３】図１に示す閉鎖系体外循環回路が備える制御装置の制御プログラムを示すフローチャートである。
【図４】図１に示す閉鎖系体外循環回路が備える制御装置の制御によるローラポンプの回転数の経時変化（作動状態）を模式的に示すグラフである。
【図５】本発明の閉鎖系体外循環回路（第２実施形態）が備える制御装置の制御プログラムを示すフローチャートである。
【図６】図５に示す閉鎖系体外循環回路が備える制御装置の制御によるローラポンプの回転数の経時変化（作動状態）を模式的に示すグラフである。
【図７】本発明の閉鎖系体外循環回路（第３実施形態）が備える制御装置の制御プログラムを示すフローチャートである。
【図８】図７に示す閉鎖系体外循環回路が備える制御装置の制御によるローラポンプの回転数の経時変化（作動状態）を模式的に示すグラフである。
【発明を実施するための形態】
【００２０】
以下、本発明の閉鎖系体外循環回路を添付図面に示す好適な実施形態に基づいて詳細に説明する。
【００２１】
＜第１実施形態＞
図１は、本発明の閉鎖系体外循環回路の第１実施形態を示す概略図、図２は、図１に示す閉鎖系体外循環回路が備える人工肺の横断面図、図３は、図１に示す閉鎖系体外循環回路が備える制御装置の制御プログラムを示すフローチャート、図４は、図１に示す閉鎖系体外循環回路が備える制御装置の制御によるローラポンプの回転数の経時変化（作動状態）を模式的に示すグラフである。
【００２２】
図１に示す閉鎖系体外循環回路（閉鎖系体外循環装置）１００は、脱血ライン１と、送血ライン２と、再循環ライン９と、脱血ライン１と送血ライン２との間に配置され、これらライン同士を連結する人工肺（人工肺系）３と、脱血ライン１の途中に設けられたローラポンプ４と、脱血ライン１のローラポンプ４よりも上流側の部分に設けられた圧力センサ５と、制御装置（制御部）１０とを備えている。以下、各部の構成について説明する。
【００２３】
なお、閉鎖系体外循環回路１００では、当該閉鎖系体外循環回路１００内を循環する血液の体外循環量（プライミングボリューム）を抑制するために、貯血槽（リザーバ）が省略されている。一般的に、貯血槽が省略された体外循環回路を「閉鎖系」の体外循環回路と言うことがあり、貯血槽を有する体外循環回路を「開放系」の体外循環回路と言うことがある。
【００２４】
脱血ライン１は、患者Ｈの静脈（大静脈）に留置されたカテーテル（図示せず）に接続された、可撓性を有するチューブ１１で構成されている。そして、脱血ライン１は、カテーテルを介して脱血された血液（静脈血）が流下するものである。脱血ライン１は、カテーテルと反対側の部分が、人工肺３の上流側（血液流入ポート３１１）に接続されている。
【００２５】
送血ライン２は、患者Ｈの動脈に留置されたカテーテル（図示せず）に接続された、可撓性を有するチューブ２１で構成されている。そして、送血ライン２は、脱血ライン１、人工肺３を順に経た、血液が流下し、当該血液をカテーテルを介して患者に戻すことができる。また、送血ライン２は、カテーテルと反対側の部分が、人工肺３の下流側（血液流出ポート３１２）に接続されている。
【００２６】
脱血ライン１の途中には、ローラポンプ４が配置されている。ローラポンプ４は、脱血ライン１に血液を吸引し、閉鎖系体外循環回路１００内を移送して体外循環させる血液ポンプである。ローラポンプ４は、回転しつつ、脱血ライン１を構成するチューブ１１をしごいて、チューブ１１内の血液を移送するロータ４１を有している。このローラポンプ４では、ロータ４１の回転数の大小に応じて、体外循環する血液の流量も上下する。すなわち、ローラポンプ４は、ロータ４１の回転数が大となればなるほど、体外循環する血液の流量が増加し、回転数が小となればなるほど、体外循環する血液の流量が減少する。
【００２７】
なお、血液ポンプとしては、ローラポンプ４の他に、例えば遠心ポンプがあるが、遠心ポンプは、患者Ｈから血液を吸引した際にそれと同時に混入した気泡を細かく砕いてしまう場合がある。これに対し、ローラポンプ４では、遠心ポンプで起こり得る血液への混入気泡を細かく砕くことを防止することができる。
【００２８】
脱血ライン１のローラポンプ４よりも上流側の部分には、圧力センサ５が配置されている。圧力センサ５は、脱血ライン１中の圧力、すなわち、人工肺３の上流側の圧力を検出するセンサであり、例えばダイアフラムゲージを用いることができる。ダイアフラムゲージは、隔膜（ダイアフラム）に加わる圧力を膜の変形として検出するよう構成されたものである。
【００２９】
なお、図１に示すように、圧力センサ５は、脱血ライン１のローラポンプ４よりも上流側の部分のうちの、特に、再循環ライン９が接続される接続部１２よりも上流側の部分に配されるのが好ましい。これにより、再循環ライン９を流れる血液に左右されることなく、患者Ｈの静脈血管にかかっている圧力を測定することができる。
【００３０】
脱血ライン１の下流側には、人工肺３が接続されている。図１に示すように、人工肺３は、円筒状をなすハウジング３１を有している。また、図２に示すように、人工肺３は、ハウジング３１に一括して収納された熱交換部３２、ガス交換部３３、第１のフィルタ部材（第１のフィルタ）３４および第２のフィルタ部材（第２のフィルタ）３５を有しており、血液が流れる方向（血流Ｑの方向）に沿って、上流側からこの順に配置されている。
【００３１】
ハウジング３１は、血液流入ポート３１１と、血液流出ポート３１２と、熱媒体流入ポート３１３と、熱媒体流出ポート３１４と、ガス流入ポート３１５と、ガス流出ポート３１６と、再循環用ポート３１７とを有している。
【００３２】
図１に示すように、血液流入ポート３１１は、脱血ライン１を構成するチューブ１１が接続され、当該チューブ１１からの血液がハウジング３１内に流入するためのポートである。血液流入ポート３１１は、ハウジング３１の図１中の右端部から右方に向かって、管状に突出形成されている。
【００３３】
血液流出ポート３１２は、送血ライン２を構成するチューブ２１が接続され、ハウジング３１内の血液が送血ライン２に向かって流出するためのポートである。血液流出ポート３１２は、ハウジング３１の外周部に図２中の下方に向かって、管状に突出形成されている。
【００３４】
熱媒体流入ポート３１３は、血液に対する熱交換を行なう際に用いられる熱媒体（例えば水）がハウジング３１内に流入するためのポートである。熱媒体流入ポート３１３は、ハウジング３１の図１中の左端部から左方に向かって、管状に突出形成されている。
【００３５】
熱媒体流出ポート３１４は、熱交換に用いられた熱媒体がハウジング３１内から流出するためのポートである。熱媒体流出ポート３１４は、熱媒体流入ポート３１３と異なる位置に、ハウジング３１の図１中の左端部から左方に向かって、管状に突出形成されている。
【００３６】
ガス流入ポート３１５は、血液に対するガス交換を行なう際に用いられるガス（主に酸素）がハウジング３１内に流入するためのポートである。ガス流入ポート３１５は、熱媒体流入ポート３１３および熱媒体流出ポート３１４と異なる位置に、ハウジング３１の図１中の左端部から左方に向かって、管状に突出形成されている。
【００３７】
ガス流出ポート３１６は、ガス交換に用いられたガスがハウジング３１内から流出するためのポートである。ガス流出ポート３１６は、ハウジング３１の図１中の右端部の血液流入ポート３１１と異なる位置に右方に向かって、管状に突出形成されている。
【００３８】
再循環用ポート３１７は、再循環ライン９を構成するチューブ９１が接続され、ハウジング３１内の血液が再循環ライン９に向かって流出するためのポートである。再循環用ポート３１７は、ハウジング３１の外周部に図２中の上方に向かって、管状に突出形成されている。
【００３９】
なお、ハウジング３１は、例えば、ポリエチレン、ポリプロピレン等のポリオレフィン、エステル系樹脂（例えば、ポリエチレンテレフタレート、ポリブチレンテレフタレート等のポリエステル）、スチレン系樹脂（例えば、ポリスチレン、ＭＳ樹脂、ＭＢＳ樹脂、ＡＢＳ樹脂、ＢＳ樹脂、ＡＳ樹脂）、ポリカーボネート等の樹脂材料あるいは種々のセラミックス材料、金属材料等で構成されている。
【００４０】
熱交換部３２は、血液に対し熱交換（加温または冷却）を行なう部分である。図２に示すように、熱交換部３２は、その全体形状が円筒状をなし、ハウジング３１と同心的に配置されている。この熱交換部３２の内側には、血液流入ポート３１１が連通している。そして、血液流入ポート３１１から流入した血液は、熱交換部３２に接しつつ、血液流出ポート３１２に向かう。また、熱交換部３２は、例えばいわゆるベローズ型熱交換体で構成され、当該熱交換体を熱媒体が、熱媒体流入ポート３１３から熱媒体流出ポート３１４に向かって通過する。その際、熱交換体に接触する血液との間で、熱交換が行なわれる。また、熱交換部３２は、後述するガス交換部３３と同様に、複数の中空糸膜を積層したものでもよい。
【００４１】
なお、熱交換部３２は、例えば、ステンレス、アルミニウム等の金属材料、またはポリエチレン、ポリカーボネート、ポリウレタン、ポリエチレンテレフタレート、ナイロン、ポリプロピレン等の樹脂材料で構成することができる。
【００４２】
図２に示すように、熱交換部３２よりも下流側、すなわち、熱交換部３２の外周側には、ガス交換部３３が設けられている。ガス交換部３３は、脱血ライン１を流下してきて、熱交換部３２で熱交換が行われた血液に対しガス交換（酸素加、脱炭酸ガス）を行なうものである。このガス交換部３３は、その全体形状が円筒状をなし、熱交換部３２と同心的に配置されている。
【００４３】
ガス交換部３３は、多数本の中空糸膜が集積して構成され、中空糸膜同士の間を血液が血液流出ポート３１２に向かって通過することができる。各中空糸膜は、それぞれ、その一端側がガス流入ポート３１５に連通し、他端側がガス流出ポート３１６に連通している。そして、ガス流入ポート３１５に流入したガスは、各中空糸膜内をそれぞれ通過し、ガス流出ポート３１６から排出される。その際、各中空糸膜に接触する血液との間で、ガス交換が行なわれる。
【００４４】
なお、中空糸膜の構成材料としては、例えば、ポリプロピレン、ポリエチレン、ポリスルホン、ポリアクリロニトリル、ポリテトラフルオロエチレン、ポリメチルペンテン等の疎水性高分子材料が用いられる。好ましくは、ポリオレフィン系樹脂であり、より好ましくは、ポリプロピレンであり、延伸法または固液相分離法により壁部に微細孔が形成されたものがより好ましい。
【００４５】
ガス交換部３３よりも下流側、すなわち、ガス交換部３３の外周側には、第１のフィルタ部材３４が設けられ、さらに第１のフィルタ部材３４の下流側には、第２のフィルタ部材３５が設けられている。
【００４６】
第１のフィルタ部材３４は、ガス交換部３３でガス交換がなされた血液中に気泡が存在している場合、その気泡を捕捉するメインフィルタである。第１のフィルタ部材３４は、平坦なシートで構成され、当該シートをガス交換部３３の外周部に密着して、円筒状（ロール状）に巻回されている。
【００４７】
第２のフィルタ部材３５は、例えばローラポンプ４の回転数が何らかの異常により過剰に大きかった場合であって、第１のフィルタ部材３４を気泡が通過してしまった、すなわち、第１のフィルタ部材３４で捕捉しきれなかった気泡が血液中に混在している場合に、当該気泡を捕捉する補助フィルタである。第２のフィルタ部材３５は、短冊状をなす平坦なシートで構成され、ハウジング３１の内周部に形成された凹部３１８に設置されている。なお、第２のフィルタ部材３５の面積は、第１のフィルタ部材３４の面積よりも小さくてもよい。第２のフィルタ部材３５は、メインフィルタである第１のフィルタ部材３４に対する補助フィルタであるため、このような大小関係でも、十分に気泡捕捉機能を発揮することができる。
【００４８】
気泡は、通常、第１のフィルタ部材３４を通過することはないが、何らかの異常により、または、閉鎖系体外循環回路１００の使用状態（使用環境下）によっては、第１のフィルタ部材３４を通過してしまうことがあり、この場合に、第２のフィルタ部材３５は、この気泡を捕捉するのに有効なものとなる。そして、このように気泡が捕捉、除去された血液は、血液流出ポート３１２から流出する。
【００４９】
なお、第１のフィルタ部材３４で捕捉された気泡は、中空糸膜の内外の圧力差により、中空糸膜の内腔へ移動し、この気泡は、ガス交換に用いられたガスとともに、ガス流出ポート３１６から排出される。
【００５０】
また、第２のフィルタ部材３５で一旦捕捉された気泡は、第２のフィルタ部材３５を通過せずに、後述するように血液とともに再循環して、第１のフィルタ部材３４まで戻って来る。そして、気泡は、血液とともに第１のフィルタ部材３４を通過する際に、当該第１のフィルタ部材３４でその一部または全部が捕捉される。第１のフィルタ部材３４で捕捉された気泡は、前述したように、ガス流出ポート３１６から排出される。一方、今回の再循環でも、第１のフィルタ部材３４で捕捉しきれなかった残りの気泡は、さらに再循環を繰り返す。この再循環を繰り返す間に、残りの気泡は、いずれは第１のフィルタ部材３４で全て捕捉され、ガス流出ポート３１６から排出される。
【００５１】
第１のフィルタ部材３４、第２のフィルタ部材３５の形態としては、それぞれ、例えば、メッシュ状（網状）をなすもの、織布、不織布、あるいはこれらを組み合わせたものが挙げられるが、このなかでも、メッシュ状（網状）をなすものが好ましく、特に、スクリーンフィルタが好ましい。これにより、気泡を双方のフィルタ部材で確実に捕捉することができるとともに、血液は容易に通過することができる。なお、第１のフィルタ部材３４、第２のフィルタ部材３５がそれぞれメッシュ状をなすものである場合、互いに目開きが同じであるのが好ましい。
【００５２】
第１のフィルタ部材３４と第２のフィルタ部材３５とは、同じ材料で構成されているのが好ましい。そして、その構成材料としては、例えば、ポリアミド、ポリエチレン、ポリプロピレン等のポリオレフィン、ポリエチレンテレフタレート、ポリブチレンテレフタレート等のポリエステル、ナイロン、セルロース、ポリウレタン、アラミド繊維等が挙げられる。特に、抗血栓性に優れ、目詰まりを生じ難いという点で、各フィルタ部材の構成材料として、ポリエチレンテレフタレート、ポリエチレン、ポリウレタンを用いるのが好ましい。
【００５３】
なお、第１のフィルタ部材３４、第２のフィルタ部材３５は、それぞれ、親水性を有するのが好ましい。すなわち、各フィルタ部材は、それぞれ、それ自体が親水性を有する材料で構成されているか、または、親水化処理（例えば、プラズマ処理、親水化剤コーティング等）が施されていることが好ましい。
【００５４】
また、図２に示すように、第１のフィルタ部材３４と第２のフィルタ部材３５とは血流Ｑの方向に沿って離間している。これにより、第１のフィルタ部材３４と第２のフィルタ部材３５との間が、血液が通過する流路３６として機能する。流路３６を通過する血液には、血液流出ポート３１２に向かう血液と、再循環用ポート３１７に向かう血液とがある。
【００５５】
また、人工肺３は、図２に示す姿勢、すなわち、第１のフィルタ部材３４が、その中心軸が水平方向と平行となるよう配置され、第２のフィルタ部材３５が第１のフィルタ部材３４に対し鉛直下方に配置されるような姿勢で用いられる。このとき、人工肺３（ハウジング３１）の鉛直上方の部分に、再循環用ポート３１７が突出した状態となる。そして、図２に示す姿勢では、流路３６を通過する血液のうち、下降して血液流出ポート３１２に向かう血液は、気泡の混入がない血液となり、上昇して再循環用ポート３１７に向かう血液は、気泡が混入した血液となる。この気泡が混入した血液は、そのまま、再循環ライン９を脱血ライン１に向かって進む。
【００５６】
図１、図２に示すように、再循環ライン９は、人工肺３の再循環用ポート３１７に接続された、可撓性を有するチューブ９１で構成されている。チューブ９１は、再循環用ポート３１７を介して、流路３６と連通している。また、チューブ９１の再循環用ポート３１７と反対側の端部は、脱血ライン１のローラポンプ４よりも上流側の部分（接続部１２）に接続されて（連結されて）いる。この接続部１２に接続された再循環ライン９により、流路３６を通過して、再循環用ポート３１７に向かう血液が脱血ライン１に戻されることとなる。そして、この血液は、再度脱血ライン１を接続部１２から流下して、ローラポンプ４に戻る、すなわち、再循環する。再循環中に、血液中の気泡は、閉鎖系体外循環回路１００から除去される。
【００５７】
なお、チューブ１１、２１、９１の構成材料としては、特に限定されず、例えば、軟質ポリ塩化ビニル、エチレン−酢酸ビニル共重合体、ポリブタジエン、シリコン、ポリウレタン等、あるいはこれらを主とする材料が挙げられる。
【００５８】
閉鎖系体外循環回路１００には、制御装置１０が設置されている。制御装置１０は、例えばＣＰＵ（Central Processing Unit）を内蔵したパーソナルコンピュータである。この制御装置１０は、ローラポンプ４、圧力センサ５の作動をそれぞれ制御する機能を有し、圧力センサ５の検出結果に基づいて、ローラポンプ４の作動を制御することができる。
【００５９】
以下、閉鎖系体外循環回路１００の制御装置１０の制御プログラムを、図３のフローチャートに基づいて説明する。
【００６０】
ところで、閉鎖系体外循環回路１００では、ローラポンプ４と患者Ｈとの間の部分の圧力が最も低くなる傾向にある。この低い圧力の程度によっては、静脈に留置されたカテーテルが静脈内壁に貼り付き、血液を吸引できなくなってしまいそうになるが、制御装置１０の制御プログラムでこのような事態を防ぐことができる。
【００６１】
なお、圧力センサ５により、脱血ライン１の人工肺３よりも上流側の部分の圧力ｐが検出される。そして、この圧力センサ５で検出された（得られた）圧力ｐ（情報）に基づいて、ローラポンプ４の作動が制御される。
【００６２】
図３に示すように、制御装置１０には、予め閾値として、上限値ｐmaxと下限値ｐminとが設定、記憶されている。下限値ｐminは、体外循環中にローラポンプ４の作動を停止させる基準となる圧力であり、上限値ｐmaxは、停止したローラポンプ４を再度作動させる基準となる圧力である。
【００６３】
図３に示すように、体外循環を開始すると、制御装置１０は、圧力センサ５で検出された圧力ｐが下限値ｐminを下回ったか否かを判断し（ステップＳ２００）、圧力ｐが下限値ｐminを下回ったと判断した場合には、ローラポンプ４の作動を停止する、すなわち、作動状態でのローラポンプ４の回転数Ｒを瞬時に「０」まで落とす（ステップＳ２０１、図４中の時間「０」〜「ｔ１」の部分参照）。
【００６４】
次に、制御装置１０に内蔵されているタイマを作動させ（ステップＳ２０２）、該タイマにより設定された所定時間を経過したと判断されたら（ステップＳ２０３）、圧力ｐが
上限値ｐmaxを上回った（超えた）か否かを判断する（ステップＳ２０４）。
【００６５】
ステップＳ２０４において、圧力ｐが上限値ｐmaxを上回ったと判断されたら、ローラポンプ４を回転数Ｒで再度作動させる（ステップＳ２０５、図４中の時間「ｔ２」以降の部分参照）。一方、ステップＳ２０４において、圧力ｐが上限値ｐmaxを上回ってはいないと判断された場合には、ローラポンプ４が停止した状態を維持し、ステップＳ２０２に戻り、以後、それより下位のステップを順次実行する。
【００６６】
以上のような制御により、閉鎖系体外循環回路１００では、ローラポンプ４の吸引による異常陰圧によって、静脈に留置されたカテーテルが静脈血管壁に貼り付き、脱血不良に陥りそうな場合でも、ローラポンプ４の作動を停止させて、その貼り付きを防止することができる。このことにより、閉鎖系体外循環回路１００では、遠心ポンプを使わなくても、ローラポンプ４による異常陰圧での脱血不良を発生させることを防止することができ、また、ローラポンプ４の気泡を細かく砕きにくい特徴を有することとなる。この特徴により、閉鎖系体外循環回路１００では、気泡が確実に除去されるため、従来の体外循環装置に設置されている、気泡を除去するための気泡除去装置を省略することができる。この気泡除去装置を省略した分、閉鎖系体外循環回路１００の小型化を図ることができるとともに、体外循環する血液の体外循環量をできる限り抑制する、すなわち、少なくすることができる。
【００６７】
＜第２実施形態＞
図５は、本発明の閉鎖系体外循環回路（第２実施形態）が備える制御装置の制御プログラムを示すフローチャート、図６は、図５に示す閉鎖系体外循環回路が備える制御装置の制御によるローラポンプの回転数の経時変化（作動状態）を模式的に示すグラフである。
【００６８】
以下、これらの図を参照して本発明の閉鎖系体外循環回路の第２実施形態について説明するが、前述した実施形態との相違点を中心に説明し、同様の事項はその説明を省略する。
【００６９】
本実施形態は、制御装置のローラポンプに対する制御、すなわち、制御装置の制御プログラムが異なること以外は前記第１実施形態と同様である。
【００７０】
図５に示すように、制御装置１０には、予め閾値として、上限値ｐmaxと下限値ｐminとが設定、記憶されている。下限値ｐminは、体外循環中にローラポンプ４の回転数を減少させつつ、ローラポンプ４の作動を停止する基準となる圧力であり、上限値ｐmaxは、停止したローラポンプ４を再度作動させる基準となる圧力である。
【００７１】
図５に示すように、体外循環を開始すると、制御装置１０は、圧力センサ５で検出された圧力ｐが下限値ｐminを下回ったか否かを判断し（ステップＳ３００）、圧力ｐが下限値ｐminを下回ったと判断した場合には、作動状態でのローラポンプ４の回転数Ｒを連続的に徐々に減少させつつ「０」まで落とす（ステップＳ３０１、図６中の時間「０」〜「ｔ１」の部分参照）。
【００７２】
次に、制御装置１０に内蔵されているタイマを作動させ（ステップＳ３０２）、該タイマにより設定された所定時間を経過したと判断されたら（ステップＳ３０３）、圧力ｐが上限値ｐmaxを上回った（超えた）か否かを判断する（ステップＳ３０４）。
【００７３】
ステップＳ３０４において、圧力ｐが上限値ｐmaxを上回ったと判断されたら、ローラポンプ４の回転数を連続的に徐々に回転数Ｒまで増加させて、再度作動させる（ステップＳ３０５、図６中の時間「ｔ２」以降の部分参照）。一方、ステップＳ３０４において、圧力ｐが上限値ｐmaxを上回ってはいないと判断された場合には、ローラポンプ４が停止した状態を維持し、ステップＳ３０２に戻り、以後、それより下位のステップを順次実行する。
【００７４】
以上のような制御により、本実施形態でも、ローラポンプ４の吸引による異常陰圧によって、静脈に留置されたカテーテルが静脈血管壁に貼り付き、脱血不良に陥りそうな場合でも、ローラポンプ４の作動を停止させて、その貼り付きを防止することができる。このことにより、閉鎖系体外循環回路１００では、遠心ポンプを使わなくても、ローラポンプ４による異常陰圧での脱血不良を発生させることを防止することができ、また、ローラポンプ４の気泡を細かく砕きにくい特徴を有することとなる。この特徴により、気泡が確実に除去される。
【００７５】
また、本実施形態では、ローラポンプ４の作動が停止するまで、当該ローラポンプ４の回転数を連続的に減少させている。これにより、血液の流れが徐々に減少することとなり、患者Ｈの負担を軽減することができる。また、ローラポンプ４が停止になる以前に、前記カテーテルの血管壁への貼り付きを防止することができ、よって、ローラポンプ４の停止による体外循環停止も避けることができる。
【００７６】
＜第３実施形態＞
図７は、本発明の閉鎖系体外循環回路（第３実施形態）が備える制御装置の制御プログラムを示すフローチャート、図８は、図７に示す閉鎖系体外循環回路が備える制御装置の制御によるローラポンプの回転数の経時変化（作動状態）を模式的に示すグラフである。
【００７７】
以下、これらの図を参照して本発明の閉鎖系体外循環回路の第３実施形態について説明するが、前述した実施形態との相違点を中心に説明し、同様の事項はその説明を省略する。
【００７８】
本実施形態は、制御装置のローラポンプに対する制御、すなわち、制御装置の制御プログラムが異なること以外は前記第１実施形態と同様である。
【００７９】
図７に示すように、制御装置１０には、予め閾値として、上限値ｐmaxと下限値ｐminとが設定、記憶されている。下限値ｐminは、体外循環中にローラポンプ４の回転数を減少させつつ、ローラポンプ４の作動を停止する基準となる圧力であり、上限値ｐmaxは、停止したローラポンプ４を再度作動させる基準となる圧力である。
【００８０】
図７に示すように、体外循環を開始すると、制御装置１０は、圧力センサ５で検出された圧力ｐが下限値ｐminを下回ったか否かを判断し（ステップＳ４００）、圧力ｐが下限値ｐminを下回ったと判断した場合には、作動状態でのローラポンプ４の回転数Ｒを連続的に徐々に回転数Ｒ’まで減少させる（ステップＳ４０１、図８中の時間「０」〜「ｔ１」の部分参照）。なお、回転数Ｒ’は、回転数Ｒの５〜８０％であるのが好ましく、１０〜５０％であるのがより好ましい。
【００８１】
次に、制御装置１０に内蔵されているタイマを作動させ（ステップＳ４０２）、該タイマにより設定された所定時間を経過したと判断されたら（ステップＳ４０３）、圧力ｐが上限値ｐmaxを上回った（超えた）か否かを判断する（ステップＳ４０４）。
【００８２】
ステップＳ４０４において、圧力ｐが上限値ｐmaxを上回ったと判断されたら、ローラポンプ４の回転数Ｒ’を連続的に徐々に回転数Ｒまで増加させる（ステップＳ４０５、図８中の時間「ｔ２」以降の部分参照）。一方、ステップＳ４０４において、圧力ｐが上限値ｐmaxを上回ってはいないと判断された場合には、ローラポンプ４が、回転数Ｒ’で回転している状態を維持し、ステップＳ４０２に戻り、以後、それより下位のステップを順次実行する。
【００８３】
以上のような制御により、本実施形態でも、ローラポンプ４の吸引による異常陰圧によって、静脈に留置されたカテーテルが静脈血管壁に貼り付き、脱血不良に陥りそうな場合でも、ローラポンプ４の回転数を減少させて、その貼り付きを防止することができる。このことにより、閉鎖系体外循環回路１００では、遠心ポンプを使わなくても、ローラポンプ４による異常陰圧での脱血不良を発生させることを防止することができ、また、ローラポンプ４の気泡を細かく砕きにくい特徴を有することとなる。この特徴により、気泡が確実に除去される。
【００８４】
以上、本発明の閉鎖系体外循環回路を図示の実施形態について説明したが、本発明は、これに限定されるものではなく、閉鎖系体外循環回路を構成する各部は、同様の機能を発揮し得る任意の構成のものと置換することができる。また、任意の構成物が付加されていてもよい。
【００８５】
また、本発明の閉鎖系体外循環回路は、前記各実施形態のうちの、任意の２以上の構成（特徴）を組み合わせたものであってもよい。
【００８６】
また、再循環ラインの途中に、当該再循環ラインを開閉する弁機構が設けられていてもよい。
【００８７】
また、ガス交換を行なう人工肺は、前記各実施形態では２枚のフィルタ部材を有するものであったが、これに限定されず、例えば、１枚のフィルタ部材を有するものであってもよい。この場合、人工肺よりも下流側に動脈フィルタを設置して、全体として、１枚のフィルタ部材を有する人工肺と、動脈フィルタとを備える人工肺系とすることができる。
【００８８】
また、圧力センサは、前記各実施形態では脱血ラインのローラポンプよりも上流側で、再循環ラインが接続された接続部よりも上流側の部分に配置されているが、これに限定されず、例えば、脱血ラインのローラポンプよりも上流側で、脱血ラインの接続部よりも下流側の部分に配置されていてもよい。
【符号の説明】
【００８９】
１００        閉鎖系体外循環回路（閉鎖系体外循環装置）
１            脱血ライン
１１          チューブ
１２          接続部
２            送血ライン
２１          チューブ
３            人工肺（人工肺系）
３１          ハウジング
３１１        血液流入ポート
３１２        血液流出ポート
３１３        熱媒体流入ポート
３１４        熱媒体流出ポート
３１５        ガス流入ポート
３１６        ガス流出ポート
３１７        再循環用ポート
３１８        凹部
３２          熱交換部
３３          ガス交換部
３４          第１のフィルタ部材（第１のフィルタ）
３５          第２のフィルタ部材（第２のフィルタ）
３６          流路
４            ローラポンプ
４１          ロータ
５            圧力センサ
９            再循環ライン
９１          チューブ
１０          制御装置（制御部）
Ｈ            患者
ｐ            圧力
ｐmax        上限値
ｐmin        下限値
Ｑ            血流
Ｒ、Ｒ’      回転数
Ｓ２００〜Ｓ２０５、Ｓ３００〜Ｓ３０５、Ｓ４００〜Ｓ４０５  ステップ
ｔ１、ｔ２    時間
【図１】
2013192711.tif 000003
【図２】
2013192711.tif 000004
【図３】
2013192711.tif 000005
【図４】
2013192711.tif 000006
【図５】
2013192711.tif 000007
【図６】
2013192711.tif 000008
【図７】
2013192711.tif 000009
【図８】
2013192711.tif 000010